(57)【要約】【課題】従来は、お茶やローズヒップスは栄養食品などに使われていた、他４種類の素材は、セラミックスに使われる素材である、その素材の成分や効力などは過去セラミックスで研究成果の結果を確認した効力など実績の基に、その素材とビタミンＣなどとの混合を第一に考慮に入れることである。【解決手段】前記を解決する手段として、素材のみでは治療用床ずれシートとして使う事が出来ない、その素材をよく吟味して、それぞれの成分を生かして粉砕結合により機能が高くなり、更に全ての素材を一緒に水を入れて混練し、糊状にして不織布に塗布し乾燥して製品化に至り、その製品を治療用床ずれシートとして、人の臭気．有害菌．カビ病原菌．脂肪酸（プロピオン酸）を取除くことを特徴とする解決手段である。【特許請求の範囲】
【請求項１】
本発明の治療用床ずれシートの製造方法に必要な素材名とその機能について（１）お茶は脱臭（２）ローズヒップスはビタミン系列で傷んだ皮膚の保護をする（３）殺菌セラミックスは繁殖型菌．毒素型菌を死滅する（４）酸化亜鉛は防腐機能と強力な還元剤である（５）ホウ砂は殺菌セラミックスとの混合でカビ菌に対して強力な殺菌能力発揮する（６）フェライト系セラミックスは微弱な磁場で抗菌効果と処理水のＮＭＲで評価をされている、主原料は６種類で構成されることを特徴とする、治療用床ずれシートの製造方法。
【請求項２】
請求項１記載に係る原材料の群より選ばれた素材を選びだし、治療用床ずれシートを作るために、（１）お茶．ローズヒップスを粉砕結合する（２）殺菌セラミックス．ホウ砂を粉砕結合する（３）フェライト系セラミックス．酸化亜鉛を粉砕結合する、このような粉砕結合が望まれる、植物とフェライト系セラミックスは硬度が違うので同じ粉砕機では粉砕できない、そのために別々に粉砕した後全て一緒に混合し水を入れて糊状にすると同時にホウ砂．セラミックス．酸化亜鉛の微粉が飛散しないために必ず糊材を多く入れてよく紺練りし不織布．綿生地に塗布し乾燥して製品化に至る、その効力は、お茶．ローズヒップスの成分が持続し、ビタミンＣ．ビタミンＡの効力．レチノール．カロテンが酸化亜鉛と混練することにより、体臭除去、防腐機能とビタミン系列を長期間保護し傷んだ皮膚を基に返す還元作用が働く、また、ホウ砂と殺菌セラミックスの混合は、特にカビ菌に対して異常に殺菌力を増す、更に大腸菌．黄色ブドウ球菌．腸炎ビブリオ．サルモネラ．緑膿菌．レジオネラを殺菌する、フェライト系磁場イオンは、床ずれを起す周囲の空気．環境を特別に清潔にし有害菌の繁殖が起きない環境を作る、そして床ずれには欠かすことの出来ない（脂肪酸）プロピオン酸を見事に取除く、こうしてあらゆる角度から万全を尽した機能を有していることを特徴とする、治療用床ずれシートの製造方法。
【発明の詳細な説明】
【技術分野】
【０００１】
本発明は、治療用床ずれシートの製造するために、お茶．ローズヒップス．殺菌セラミックス．ホウ砂類．酸化亜鉛．フェライト系セラミックス６種類を主原料として、個々に粉砕結合し水を入れ混練して糊状にする時点にホウ砂やセラミックスの微粉が飛散しないために糊材を入れてよく混合糊状にして、不織布、木綿生地に塗布するそして素早く乾燥し製品化に至る、その機能は床ずれに必要なカビ菌対策や体臭（脂肪酸）を取除き周囲の環境をよくする製造方法に関する技術に属するものである。
【背景技術】
【０００２】
従来は、床ずれシートにカビの皮膚の病原菌に悩まされている、そして、脂肪酸（悪臭）で周囲の環境を悪化している、又、病院では病原菌の治療をしても皮膚共々に治療することは困難である、更に、病原菌の臭いの激しさなどで、シートの取替え作業が困っいる。
【０００３】
また、病院側でも床ずれの治療方法はぬり薬で対処しているようである、病原菌の根本治療とか、皮膚の根本からの治療方法は見つかっていないようである。
【特許文献１】特開２００４−３４４６８８
【発明の開示】
【発明が解決しようとする課題】
【０００４】
本発明は、前記した従来の技術とその欠陥を解決するために、お茶．ローズヒップス．殺菌セラミックス．酸化亜鉛．ホウ砂．フェライト系セラミックスを粉砕にし糊状にして不織布に塗布し乾燥して製品化にすることを課題とするものである。
【課題を解決するための手段】
【０００５】
そして、治療用床ずれシート開発にあたり、前記した素材を全て粉砕にする、しかしこの場合本素材には食物や硬度の堅いセラミックスと一緒に粉砕をすることは出来ない。
【０００６】
そこで、（１）お茶とローズヒップス同時粉砕（２）殺菌セラミックスと酸化亜鉛同時粉砕（３）ホウ砂とフェライト系セラミックス同時粉砕にすることにより、それらが持つ成分の融合化が図れる。
【０００７】
そして、前記した素材の粉砕物に水を入れて糊状にするその時点で鉱石やホウ砂の微粉が飛散しないために糊材を入れてよく混合し糊状の状態で不織布に塗布して乾燥し製品化にいたる。
【発明の効果】
【０００８】
以上に説明したように本発明の基礎である、治療用床ずれシートを製作にあたり、お茶．ローズヒップス．殺菌セラミックス．酸化亜鉛．ホウ砂．フェライト系セラミックス．６種類を主原料として製作する。
【０００９】
そして、その素材をそれぞれ合った硬さと成分結合を充分に考慮した上、３種類に分けて粉砕し、粉砕後は水を入れて糊状にすると同時に鉱石の微粉が製品化になった時点で飛散しないように糊材を混入しよく混合した上で不織布に塗布し乾燥し製品化に至る。
【発明を実施するための最良の形態】
【００１０】
本発明は治療用床ずれ防止シートを作るために、６種類素材のそれぞれが持つ機能を生かしてカビ病原菌を死滅させなくてはならない、素材のみでは、治療用床ずれシートを作ることが出来ない。
【００１１】
そこで、植物とフェライト系セラミックスは硬度が違うので同時に粉砕する事が出来ない、また、粉砕時に素材同志で粉砕結合させると商品化された後に持続力が増してくる、
その為に（１）お茶．ローズヒップス粉砕結合する（２）殺菌セラミックス．ホウ砂を粉砕結合する（３）フェライト系セラミックス．酸化亜鉛を粉砕結合して６種類の素材全て粉砕が終わる。
【００１２】
そこで、製品の効力を発揮するために、素材の粉砕結合は大変大きな役目を果たす、一般には、ビタミンＣなどビタミン剤は早く溶出してしまう、それを粉砕結合することにより酸化亜鉛の特徴である防腐機能と化学的犠牲防食作用によりビタミンが持続される。
【００１３】
そして、本発明の基本である、治療用床ずれシートの皮膚病原菌を死滅させるには、ホウ砂と殺菌セラミツクスの結合は異常な勢いでカビ菌などを殺菌する更に病院などで困っている、脂肪酸（特定悪臭物質、プロピオン酸）を素早く取り除くことができる。
【００１４】
更に、床ずれシートに発生する、大腸菌．腸炎ビブリオ．サルモネラ．黄色ブドウ球菌．レジオネラ．緑膿菌．カビ菌を死滅させて安全なシートとすることが出来る。
【００１５】
そして、床ずれシートには避けて通れない臭気が付き物である、一般の臭いはお茶．ローズヒップスで取除くことができる、しかし、人の汗からできる（脂肪酸）プロピオン酸は（特定悪臭物質：臭気強度2.5）となっている。
【００１６】
その様なきつい臭いも6種類の素材結合で見事に取除くことが出来る、更にフェライト系セラミックスの磁場イオンに酸化亜鉛の還元作用により、床ずれシート付近の空気を細分化して、病原菌が繁殖できない環境を作ることにより、緑膿菌の繁殖が絶滅する。
【００１７】
そして、病原菌が発生できない環境の中に、殺菌セラミックスとホウ砂の粉砕結合は異常な殺菌力がある、あらゆる有害菌を皆無に殺菌する能力が整った、治療用床ずれシートとして広く社会に貢献できることを特徴とする発明である。
【産業上の利用可能性】
【００１８】
現在の社会で人が生活する上は必ず寝たきりの人がいる、そして高齢化社会になるに連れて寝たきり老人に成る人も多くあり、それを支える若い人達も少なくなり、そこで、今回発明した治療用床ずれシートの必要性が高く評価されることを一年に開発を進めています、老人になれば床ずれはしなくても、自然と人の臭気が漂い本人は無論のこと周囲の人達も気をつかう、また、今回発明の治療用床ずれシートはシート周辺の空気を細分化して匂いが起きる原因を断ち切り環境をよくして、更にカビ菌や有害菌など全てを死滅させる、その上にビタミンの栄養成分で皮膚に対して基に復元する機能を発揮し、しかも安価で生産可能な製造方法で社会に大きく貢献できる発明である。